(57)【要約】      （修正有）【課題】ちり紙を取り出すときに、取り出しやすくするとともに破損するのを抑制することができる、シート状部材収納容器を提供する。【解決手段】シート状部材収納容器１０を、平板状の底板部２０と、底板部２０の外周縁部から上方に延び上端にシート状部材を投入可能な投入口３１を有する筒状の側板部３０と、を有し、内側に所定形状にカットされた複数枚のシート状部材を収納可能とする。平面視において、側板部の前端側に３０、上下方向に沿って切り欠かれシート状部材を取出し可能とする取出し口３２を設け、平面視において、少なくとも取出し口３２の周辺部分の内周面を、取出し口３２に向かって狭小となるように形成して、シート状部材を取り出すときにシート状部材をガイドするガイド部３３とする。【選択図】図１
0003184149.tif 000002
【実用新案登録請求の範囲】
【請求項１】
平板状の底板部と、前記底板部の外周縁部から上方に延び上端にシート状部材を投入可能な投入口を有する筒状の側板部と、を有し、内側に所定形状にカットされた複数枚の前記シート状部材が収納されるシート状部材収納容器であって、
平面視において、前記側板部の前端側には、上下方向に沿って切り欠かれ前記シート状部材を取出し可能とする取出し口が設けられ、
平面視において、少なくとも前記取出し口の周辺部分の内周面が、前記取出し口に向かって狭小となるように形成され、前記シート状部材を取り出すときに前記シート状部材をガイドするガイド部とされていることを特徴とするシート状部材収納容器。
【請求項２】
帯体によって結束された前記シート状部材の積層体が収納される請求項１記載のシート状部材収納容器であって、
前記底板部の上面には、前後方向に沿って下側に凹む逃がし溝が形成され、
前記側板部の後側の端部には、上下方向に沿って前記逃がし溝と連なるように切り欠かれた切り欠き部が形成され、
前記逃がし溝及び前記切り欠き部は、前記帯体に対応する位置に配設されるとともに前記帯体より幅広に形成されていることを特徴とするシート状部材収納容器。
【請求項３】
前記底板部の前側の端部には、後方に向かって切り欠かれた凹部が形成されていることを特徴とする請求項１又は２記載のシート状部材収納容器。
【請求項４】
六角形状又は長円状にカットされた前記シート状部材が収納される請求項１から３のいずれかに記載のシート状部材収納容器であって、
平面視において、前記底板部及び前記側板部の形状が、前記シート状部材の形状と対応した六角形状又は長円状であることを特徴とするシート状部材収納容器。
【請求項５】
六角形状又は長円状にカットされたシート状部材と、請求項１から４のいずれかに記載のシート状部材収納容器と、を備えることを特徴とするシート状部材収納セット。
【考案の詳細な説明】
【技術分野】
【０００１】
本考案は、所定形状にカットされた複数枚のシート状部材の積層体を収納するシート状部材収納容器及びシート状部材収納セットに関する。
【背景技術】
【０００２】
従来のちり紙入れとして、特許文献１に記載されるものがあり、これによれば、直角に交差したアングルを矩形板状の底板の四隅に底板を取り囲むように立設し、アングルの内側に底板と略同一形状のちり紙を収納可能とされていた。
【先行技術文献】
【特許文献】
【０００３】
【特許文献１】実開平０１−１１４８９２号公報
【考案の概要】
【考案が解決しようとする課題】
【０００４】
しかし、上記に示す従来のちり紙入れでは、ちり紙を取り出す際に、ちり紙の取出し方向側の角部が、直角に交差したアングルの内側が引っ掛かってしまいちり紙が取り出しにくく破損しやすいという問題があった。
【０００５】
本考案は上記事情に鑑み、ちり紙のようなシート状部材を取り出すときに、取り出しやすくするとともに破損するのを抑制することができる、シート状部材収納容器及びシート状部材収納セットを提供するものである。
【課題を解決するための手段】
【０００６】
請求項１記載の考案では、平板状の底板部と、底板部の外周縁部から上方に延び上端にシート状部材を投入可能な投入口を有する筒状の側板部と、を有し、内側に所定形状にカットされた複数枚のシート状部材が収納されるシート状部材収納容器であって、平面視において、側板部の前端側には、上下方向に沿って切り欠かれシート状部材を取出し可能とする取出し口が設けられ、平面視において、少なくとも取出し口の周辺部分の内周面が、取出し口に向かって狭小となるように形成され、シート状部材を取り出すときにシート状部材をガイドするガイド部とされている。
【０００７】
これによれば、取出し口に向かって狭小となるように形成されたガイド部により、シート状部材がガイドされるので、シート状部材を取り出すときに、シート状部材が側板部に引っ掛かるのを低減させて、シート状部材を取り出しやすくするとともに破損するのを抑制することができる。
【０００８】
請求項２記載の考案では、帯体によって結束されたシート状部材の積層体が収納される請求項１記載のシート状部材収納容器であって、底板部の上面には、前後方向に沿って下側に凹む逃がし溝が形成され、側板部の後側の端部には、上下方向に沿って逃がし溝と連なるように切り欠かれた切り欠き部が形成され、逃がし溝及び切り欠き部は、帯体に対応する位置に配設されるとともに帯体より幅広に形成されている。
【０００９】
これによれば、逃がし溝及び切り欠き部に、シート状部材の積層体を結束する帯体が位置するようにシート状部材の積層体を収納して、帯体を切断すると、切り欠き部により帯体を側板部より外側に逃がすとともに、逃がし溝とシート状部材とで囲まれる部分内に帯体を配置可能とすることで、シート状部材との接触を避けて引っ張り出すことが可能となり、シート状部材を破損させることなく容易に帯体を外すことができる。
【００１０】
請求項３記載の考案のように、底板部の前側の端部に、後方に向かって切り欠かれた凹部を形成すれば、シート状部材が残り少なくなったときに、シート状部材を上下で挟んで取り出すことが可能となり、シート状部材を取り出しやすくすることに寄与する。
【００１１】
請求項４記載の考案のように、シート状部材を容易に収納するため、六角形状又は長円状にカットされたシート状部材が収納される請求項１から３のいずれかに記載のシート状部材収納容器であって、平面視において、底板部及び側板部の形状が、シート状部材の形状と対応した六角形状又は長円状にすることが望ましい。
【００１２】
請求項５記載の考案では、六角形状又は長円状にカットされたシート状部材と、請求項１から４のいずれかに記載のシート状部材収納容器と、を備えるシート状部材収納セットとしている。
【図面の簡単な説明】
【００１３】
【図１】本考案の一実施形態のシート状部材収納容器の斜視図である。
【図２】同実施形態のシート状部材収納容器の平面図である。
【図３】同実施形態のシート状部材収納容器と帯体との位置関係を示す斜視図である。
【図４】同実施形態のシート状部材収納容器に収納されるシート状部材の積層体の斜視図である。
【図５】本考案の一実施形態のシート状部材収納容器が用いられたシート状部材収納セットの斜視図である。
【図６】本考案の他の実施形態のシート状部材収納容器の斜視図である。
【図７】同実施形態のシート状部材収納容器の平面図である。
【図８】同実施形態のシート状部材収納容器と帯体との位置関係を示す斜視図である。
【図９】同実施形態のシート状部材収納容器に収納されるシート状部材の積層体の斜視図である。
【図１０】本考案の他の実施形態のシート状部材収納容器が用いられたシート状部材収納セットの斜視図である。
【考案を実施するための形態】
【００１４】
本考案によるシート状部材収納容器の一実施形態を図面に基づいて説明する。以下の説明において、図１の矢印の、Ｆを前、ＲＥを後ろ、Ｒを右、Ｌを左、Ｕを上、Ｄを下、とする。
【００１５】
シート状部材収納セット１００は、図５に示すように、複数のシート状部材Ｗ１が積層された積層体Ｌ１と、積層体Ｌ１が収納されるシート状部材収納容器１０と、を備えている。
【００１６】
積層体Ｌ１を構成するシート状部材Ｗ１は、本実施形態ではちり紙が用いられ、図４に示すように、長円状、詳説すれば、円を円の外周の二点を結ぶ線（弦）が互いに平行かつ同じ長さとなるように切り取った形状にカットされている。
【００１７】
シート状部材Ｗ１が重ね合わされ、帯体Ｂ１によって結束されて積層体Ｌ１としての体裁をなしている。
【００１８】
シート状部材収納容器１０は、図１〜３、５に示すように、底板部２０と、側板部３０と、を有している。
【００１９】
底板部２０は、平面視における形状がシート状部材Ｗ１に対応した長円状の平板に形成されている。
【００２０】
底板部２０の上面の左右方向における中央部には、断面コの字状で前後方向に沿って下側に凹む逃がし溝２１が形成されている。
【００２１】
逃がし溝２１は、図３に示すように、積層体Ｌ１が収納されたときに、帯体Ｂ１に対応する位置に配設されるとともに、帯体Ｂ１より幅広、かつ、帯体Ｂ１の厚みより大きい深さをもって形成されている。
【００２２】
底板部２０の前側の端部の左右方向における中央部には、後方に向かって逃がし溝２１と連なるように切り欠かれた、凹部２２が形成されている。
【００２３】
側板部３０は、平面視において底板部２０に対応した筒状に形成され、底板部２０の外周縁部から上方に延び、上端にシート状部材Ｗ１を投入可能な投入口３１を有している。
【００２４】
平面視において、側板部３０の前端側には、上下方向に沿って切り欠かれシート状部材Ｗ１を取出し可能とする取出し口３２が設けられている。
【００２５】
側板部３０の後側の端部には、上下方向に沿って逃がし溝２１と連なるように切り欠かれた切り欠き部３４が形成されている。
【００２６】
切り欠き部３４は、積層体Ｌ１が収納されたときに、帯体Ｂ１に対応する位置に配設されるとともに、帯体Ｂ１より幅広、かつ、取出し口３２より幅狭に形成されている。
【００２７】
平面視において、側板部３０の、取出し口３２からシート状部材収納容器１０の前後方向における中央部までの（取出し口３２の周辺部分）の内周面が、取出し口３２に向かって狭小となるように円弧状に形成され、シート状部材Ｗ１を取り出すときにシート状部材Ｗ１をガイドするガイド部３３とされている．
次に、シート状部材収納容器１０の使用態様を説明する。
【００２８】
図４に示す、複数のシート状部材Ｗ１が積層された積層体Ｌ１を、側板部３０の投入口３１から投入する。このとき、図３、５に示すように、帯体Ｂ１を逃がし溝２１内に配置する。積層体Ｌ１をシート状部材収納容器１０に収納したら、例えば、上側で帯体Ｂ１を切断する。切断されて環状から一本の帯状となった帯体Ｂ１を前後方向に沿って伸ばすと、後側は切り欠き部３４を通過して、側板部３０の後方外側に逃がし可能となる。また、前側は、側板部３０の取出し口３２を通過して前方外側に逃がし可能となる。
【００２９】
そして、一本の帯状となった帯体Ｂ１を、前側に引っ張り、正面視において、逃がし溝２１とシート状部材Ｗ１とで囲まれる部分内を通過させて、引っ張り出すことが可能となる。このとき、逃がし溝２１は、帯体Ｂ１の厚みより大きい深さをもって形成されているので、帯体Ｂ１とシート状部材Ｗ１との接触が避けられ、シート状部材Ｗ１を破損させることはない。
【００３０】
積層体Ｌ１を構成するシート状部材Ｗ１を上から順に、取出し口３２から手で取り出して使用する。側板部３０は、取出し口３２の周辺部分の内周面が、取出し口３２に向かって狭小となるように円弧状に形成されたガイド部３３を有しているので、シート状部材Ｗ１を取り出すときに、シート状部材Ｗ１がガイド部３３により上側に折れ曲がり、側板部３０に引っ掛かるのを低減させて、シート状部材Ｗ１を取り出しやすくするとともに破損するのを抑制する。
【００３１】
積層体Ｌ１を構成するシート状部材Ｗ１が、残り少なくなったときには、底板部２０の前側の端部に、後方に向かって切り欠かれた凹部２２により、シート状部材Ｗ１を上下において手で挟んで取り出すことが可能となり、シート状部材Ｗ１が取り出しやすくなっている。
【００３２】
上記構成のシート状部材収納容器１０では、平板状の底板部２０と、底板部２０の外周縁部から上方に延び上端にシート状部材Ｗ１を投入可能な投入口３１を有する筒状の側板部３０と、を有し、内側に所定形状にカットされた複数枚のシート状部材Ｗ１が収納されるシート状部材収納容器であって、平面視において、側板部３０の前端側には、上下方向に沿って切り欠かれシート状部材Ｗ１を取出し可能とする取出し口３２が設けられ、平面視において、少なくとも取出し口３２の周辺部分の内周面が、取出し口３２に向かって狭小となるように形成され、シート状部材Ｗ１を取り出すときにシート状部材Ｗ１をガイドするガイド部３３とされている。
【００３３】
これによれば、取出し口３２に向かって狭小となるように形成されたガイド部３３により、シート状部材Ｗ１がガイドされるので、シート状部材Ｗ１を取り出すときに、シート状部材Ｗ１が側板部３０に引っ掛かるのを低減させて、シート状部材Ｗ１を取り出しやすくするとともに破損するのを抑制することができる。
【００３４】
また、帯体Ｂ１によって結束されたシート状部材Ｗ１の積層体Ｌ１が収納されるシート状部材収納容器１０であって、底板部２０の上面には、前後方向に沿って下側に凹む逃がし溝２１が形成され、側板部３０の後側の端部には、上下方向に沿って逃がし溝２１と連なるように切り欠かれた切り欠き部３４が形成され、逃がし溝２１及び切り欠き部３４は、帯体Ｂ１に対応する位置に配設されるとともに帯体Ｂ１より幅広に形成されている。
【００３５】
これによれば、逃がし溝２１及び切り欠き部３４に、シート状部材Ｗの積層体L1を結束する帯体Ｂ１が位置するようにシート状部材Ｗ１の積層体Ｌ１を収納して、帯体Ｂ１を切断すると、切り欠き部３４により帯体Ｂ１を側板部３０より外側に逃がすとともに、逃がし溝２１とシート状部材Ｗ１とで囲まれる部分内に帯体Ｂ１を配置可能とすることで、シート状部材Ｗ１との接触を避けて引っ張り出すことが可能となり、シート状部材Ｗ１を破損させることなく容易に帯体Ｂ１を外すことができる。
【００３６】
また、底板部２０の前側の端部に、後方に向かって切り欠かれた凹部２２を形成すれば、シート状部材Ｗ１が残り少なくなったときに、シート状部材Ｗ１を上下で挟んで取り出すことが可能となり、シート状部材Ｗ１を取り出しやすくすることに寄与する。
【００３７】
また、長円状にカットされたシート状部材Ｗ１が収納されるシート状部材収納容器１０であって、平面視において、底板部２０及び側板部３０の形状が、シート状部材Ｗの形状と対応した長円状としているので、シート状部材収納容器１０内にシート状部材Ｗ１を容易に収納することができる。
【００３８】
本考案の他の実施形態を説明する。
【００３９】
シート状部材収納セット１００Ａは、図１０に示すように、複数のシート状部材Ｗ２が積層された積層体Ｌ２と、積層体Ｌ２が収納されるシート状部材収納容器１０Ａと、を備えている
積層体Ｌ２を構成するシート状部材Ｗ２は、本実施形態ではちり紙が用いられ、図９に示すように、六角形状、詳説すれば、前後方向に短い六角形状にカットされている。
【００４０】
シート状部材Ｗ２が重ね合わされ、帯体Ｂ２によって結束されて積層体Ｌ２としての体裁をなしている。
【００４１】
シート状部材収納容器１０Ａは、図６〜８、１０に示すように、底板部４０と、側板部５０と、を有している。
【００４２】
底板部４０は、平面視における形状がシート状部材Ｗ２に対応した六角形状の平板に形成されている。
【００４３】
底板部４０の上面の左右方向における中央部には、断面コの字状で前後方向に沿って下側に凹む逃がし溝４１が形成されている。
【００４４】
逃がし溝４１は、図８に示すように、積層体Ｌ２が収納されたときに、帯体Ｂ２に対応する位置に配設されるとともに、帯体Ｂ２より幅広、かつ、帯体Ｂ２の厚みより大きい深さをもって形成されている。
【００４５】
底板部４０の前側の端部の左右方向における中央部には、後方に向かって逃がし溝４１と連なるように切り欠かれた、凹部４２が形成されている。
【００４６】
側板部５０は、平面視において底板部４０に対応した筒状に形成され、底板部４０の外周縁部から上方に延び、上端にシート状部材Ｗ２を投入可能な投入口５１を有している。
【００４７】
平面視において、側板部５０の前端側には、上下方向に沿って切り欠かれシート状部材Ｗ２を取出し可能とする取出し口５２が設けられている。
【００４８】
側板部５０の後側の端部には、上下方向に沿って逃がし溝４１と連なるように切り欠かれた切り欠き部５４が形成されている。
【００４９】
切り欠き部５４は、積層体Ｌ２が収納されたときに、帯体Ｂ２に対応する位置に配設されるとともに、帯体Ｂ２より幅広、かつ、取出し口５２より幅狭に形成されている。
【００５０】
平面視において、側板部５０の、取出し口５２からシート状部材収納容器１０Ａの前後方向における中央部までの（取出し口５２の周辺部分）の内周面が、取出し口５２に向かって狭小となるように形成され、シート状部材Ｗ２を取り出すときにシート状部材Ｗ２をガイドするガイド部５３とされている．
次に、シート状部材収納容器１０Ａの使用態様を説明する。
【００５１】
図９に示す、複数のシート状部材Ｗ２が積層された積層体Ｌ２を、側板部５０の投入口５１から投入する。このとき、図８、１０に示すように、帯体Ｂ２を逃がし溝４１内に配置する。積層体Ｌ２をシート状部材収納容器１０Ａに収納したら、例えば、上側で帯体Ｂ２を切断する。切断されて環状から一本の帯状となった帯体Ｂ２を前後方向に沿って伸ばすと、後側は切り欠き部５４を通過して、側板部５０の後方外側に逃がし可能となる。また、前側は、側板部５０の取出し口５２を通過して前方外側に逃がし可能となる。
【００５２】
そして、一本の帯状となった帯体Ｂ２を、前側に引っ張り、正面視において、逃がし溝４１とシート状部材Ｗ２とで囲まれる部分内を通過させて、引っ張り出すことが可能となる。このとき、逃がし溝４１は、帯体Ｂ２の厚みより大きい深さをもって形成されているので、帯体Ｂ２とシート状部材Ｗ２との接触が避けられ、シート状部材Ｗ２を破損させることはない。
【００５３】
積層体Ｌ２を構成するシート状部材Ｗ２を上から順に、取出し口５２から手で取り出して使用する。側板部５０は、取出し口５２の周辺部分の内周面が、取出し口５２に向かって狭小となるように円弧状に形成されたガイド部５３を有しているので、シート状部材Ｗ２を取り出すときに、シート状部材Ｗ２がガイド部５３により上側に折れ曲がり、側板部５０に引っ掛かるのを低減させて、シート状部材Ｗ２を取り出しやすくするとともに破損するのを抑制する。
【００５４】
積層体Ｌ２を構成するシート状部材Ｗ２が、残り少なくなったときには、底板部４０の前側の端部に、後方に向かって切り欠かれた凹部４２により、シート状部材Ｗ２を上下において手で挟んで取り出すことが可能となり、シート状部材Ｗ２が取り出しやすくなっている。
【００５５】
このような構成としても、シート状部材収納セット１００及びシート状部材収納容器１０と同様の作用効果を奏することができる。
【００５６】
なお、人差指、中指、薬指、小指の四本の指と、親指とでシート状部材Ｗ１、Ｗ２を把持する際に、取出し口３２、５２と干渉しないように、取出し口３２、５２の幅を、手の甲の幅より大きい幅（１０ｃｍ〜１４ｃｍ）に形成することも可能である。
【００５７】
また、シート状部材Ｗ１、Ｗ２は、ちり紙を用いたが、ちり紙以外の紙、不織布、合成樹脂等で形成されたものを用いることができる。
【００５８】
また、シート状部材は長円状又は六角形状にカットされているが、シート状部材収納容器１０、シート状部材収納容器１０Ａに収納できるのであれば、矩形状、その他の多角形状、円形状、楕円状等、に形成したものを用いることができ、その形状に底板部を対応した形状とすることもできる。
【００５９】
また、ガイド部は、取出し口に向かって狭小となり、収納されるシート状部材を破損させないものであれば、上述した形状には限定されない。
【符号の説明】
【００６０】
１００  シート状部材収納セット
１００Ａ  シート状部材収納セット
１０  シート状部材収納容器
１０Ａ  シート状部材収納容器
２０  底板部
２１  逃がし溝
２２  凹部
３０  側板部
３１  投入口
３２  取出し口
３３  ガイド部
３４  切り欠き部
４０  底板部
４１  逃がし溝
４２  凹部
５０  側板部
５１  投入口
５２  取出し口
５３  ガイド部
５４  切り欠き部
Ｂ１  帯体
Ｌ１  積層体
Ｗ１    シート状部材
Ｂ２  帯体
Ｌ２  積層体
Ｗ２    シート状部材
【図１】
0003184149.tif 000003
【図２】
0003184149.tif 000004
【図３】
0003184149.tif 000005
【図４】
0003184149.tif 000006
【図５】
0003184149.tif 000007
【図６】
0003184149.tif 000008
【図７】
0003184149.tif 000009
【図８】
0003184149.tif 000010
【図９】
0003184149.tif 000011
【図１０】
0003184149.tif 000012